(57)【要約】【課題】ぶどう栽培圃場のふどう棚の天井を、隠蔽し、ぶどう棚に細霧ノズルを備えた換気扇を設け、換気扇を介して圃場の一定方向に強制的に送風・圃場を流れる風と相乗する方向に送風するか、又は送風に併せて、細霧を拡散して、細霧冷房を図るかを選択し、この圃場における換気と、降温効果・除湿効果を図り病気発生回避と、細霧冷房での完熟と、甘味の向上を図る。しかし、この発明には、改良点がある。【構成】圃場に一本、又は複数本の柱の上方に設けた円筒形ケーシングに複数のノズル、及び回転羽根を備えた細霧ファンを設け、回転羽根の回転と、複数のノズルからの噴射で、圃場の空中の略６ｍ〜略８ｍの高さの領域に対して噴霧し、噴射細霧を、この領域での拡散・地上に吹き降ろして細霧冷房を図り、圃場の雰囲気温度を降下し、圃場で栽培する農作物を冷却し、農作物の熟成、色付けを促進する圃場の細霧冷却方法とその装置。【選択図】  図１
2010068740.tif 000002
【特許請求の範囲】
【請求項１】
圃場の柱、フレーム、構造物に設けた空中の所定高さの領域に対して送風するファンと、このファンに細霧を送る噴霧手段とで構成した農作物の生育を制御する細霧冷却装置であって、
この空中の所定高さの領域に噴射した細霧冷房（細霧冷却）で、この圃場の雰囲気温度を降下し、この圃場で栽培する農作物を冷却することを特徴とした農作物の生育を制御する細霧冷却装置。
【請求項２】
請求項１に記載の農作物の生育を制御する細霧冷却装置であって、
前記ファンは、円筒状ケーシングに設けたモータ駆動式で、仰角等調整できるファン、又はモータ駆動式で、仰角等調整できるファンで、及びこのファンの吐出側に設けた噴霧部でなる細霧ファンとする農作物の生育を制御する細霧冷却装置。
【請求項３】
請求項１に記載の農作物の生育を制御する細霧冷却装置であって、
前記ファンは、円筒状ケーシングに設けたモータ駆動式で、仰角等調整できるファン、又はモータ駆動式で、仰角等調整できるファンで、この細霧手段は、このファンに向かって細霧を噴射する遠心細霧装置である農作物の生育を制御する細霧冷却装置。
【請求項４】
請求項１に記載の農作物の生育を制御する細霧冷却装置であって、
前記噴霧手段を、一本又は複数本の支持杆と、この支持杆に設けた複数個のノズルで構成し、この支持杆及び／又はノズルに、間欠的に、水を供給する制御装置を付設する農作物の生育を制御する細霧冷却装置。
【請求項５】
請求項４に記載の農作物の生育を制御する細霧冷却装置であって、
前記制御装置で、隣接するノズルが交互に噴霧するか、又は隣接するノズルの間を広くし、このノズルから噴霧される細霧領域が、重畳しない構造とする農作物の生育を制御する細霧冷却装置。
【請求項６】
請求項５に記載の農作物の生育を制御する細霧冷却装置であって、
前記ノズルから噴霧される細霧領域の重畳は、空中において、地面と水平方向において、この細霧領域の一部が重ならない構造とする農作物の生育を制御する細霧冷却装置。
【請求項７】
圃場に一本、又は複数本立設した柱、フレーム、構造物の高所建物の上方に、仰角調整できる架台に設けた円筒状ケーシングと、この円筒状ケーシングに複数のノズル、及び回転羽根を備えた細霧ファンを設けた農作物の生育を制御する細霧冷却装置であって、
この細霧ファンの首振り装置は、この柱に設けた基板と、この基板と前記円筒状のケーシングを連結する支持手段と、前記基板に複数本の枢軸を介して、それぞれ設けた複数の支持板と、この複数の支持板を連結する連結板と、この連結板を地面方向の左右に可動するリンク機構と、このリンク機構を可動する可動板と、この可動板を支持するモータの出力軸に設けた円板でなる農作物の生育を制御する細霧冷却装置。
【請求項８】
圃場に一本、又は複数本立設した柱、フレーム、構造物の高所建物の上方に、仰角調整できる架台に設けた円筒状ケーシングと、この円筒状ケーシングに複数のノズル、及び回転羽根を備えた細霧ファンを設けた農作物の生育を制御する細霧冷却装置であって、
この細霧ファンの首振り装置は、この柱に設けた基板と、この基板と前記円筒状のケーシングを連結する支持手段と、前記基板に設けた首振り用のモータと、この首振り用のモータの出力軸に設けた回転板と、この回転軸にピンを介して設けた駆動側リンクと、この駆動側リンクにピンを介して連結するリンクアームと、このリンクアームにピンを介して連結する従動側リンクと、この従動側リンクに固止し、かつこの従動側リンクにより回転する回転軸と、この回転軸に設けた首振り用の架台で構成し、この架台に前記支持手段が設けられる農作物の生育を制御する細霧冷却装置。
【請求項９】
請求項７、請求項８に記載の農作物の生育を制御する細霧冷却装置であって、
このケーシングの吐出側端縁に設けた複数の環状支持杆は、環状に重畳して複数状設け、この複数状の支持杆に、前記複数のノズルを、均等間隔で設けるに際し、隣接する支持杆にそれぞれ設けた複数のノズルの開口方向が、空中において、地面と水平方向において、同じ位置にならない構造とする農作物の生育を制御する細霧冷却装置。
【発明の詳細な説明】
【技術分野】
【０００１】
本発明は、主として、露地栽培の圃場の農作物の熟成と、色付け促進、又は徒長化防止等を意図する圃場（露地栽培）の農作物の生育を制御する細霧冷却装置に関する。
【背景技術】
【０００２】
露地栽培の圃場の農作物の熟成と、色付けには、寒暖の差（昼と夜の温度差）が必要である。しかし、温暖化の影響により、農作物は、殊に表皮で覆われている果実においては、昼間の温度上昇と、夜間においての温度降下が十分でなく、温度差が少なくなる状況であり、農作物の熟成と、色付けが図れず、品質の低下と、価格の低下等が発生し、かつ農家及び／又は関係者において、経済的なデメリットも発生している。
【０００３】
上記に鑑み、一部のハウス農家で、着色始期から細霧冷房を行って、ハウス内の高温対策を図る方法が採用されている。ハウス内という限定条件であるので、温度低下において限界があることと、果実の濡れの問題があり、改良の余地が考えられている。
【０００４】
そして、露地栽培に近いぶどう栽培圃場では、本出願人が提案する特開２００７−２９５８７５の「換気扇を付設したぶどう栽培圃場と、そのぶどう栽培方法」がある（文献（１）とする）。この発明は、ぶどう栽培圃場のふどう棚を、ビニール、ガラス等のカバーで覆い、ぶどう棚及び／又は柱に細霧ノズルを備えた換気扇を付設し、換気扇を介して圃場の一定方向に強制的に送風及び／又はこの圃場を流れる風と相乗する方向に送風するか、又はこの送風に併せて、細霧を拡散して、細霧冷房を図るか、を選択し、この圃場における換気と、降温効果及び／又は除湿効果を図り、病気の発生を回避し、また、細霧冷房にあける完熟と、甘味の向上を図ることを意図する。
【０００５】
また、一部のハウス農家で実施されているハウスにおける細霧冷房としては、特開２０００−１３９２４０の「ハウスにおける気化潜熱型細霧冷房装置」がある（文献（２）とする）。この発明は、ハウス内に設置されるハウス暖房機、また、霜よけ用温風機等の温風発生装置の温風吐出側に、細霧ノズルを配置した細霧発生装置を取付け、この細霧発生装置にダクトを接続し、このダクトを利用し、ハウス全体、又は所定の部分に冷風を送るようにした気化潜熱型細霧冷房装置であり、このダクトを介して、ハウス内に細霧を供給し、ハウス全体に冷風を送って均一な冷房及び加湿を行うことを意図する。
【０００６】
【特許文献１】特開２００７−２９５８７５
【特許文献２】特開２０００−１３９２４０
【発明の開示】
【発明が解決しようとする課題】
【０００７】
前記文献（１）は、ぶどう棚を、ビニール、ガラス等のカバーで覆い、ぶどう棚及び／又は柱に付設した細霧ノズルを備えた換気扇を介して、夜温の降下を意図する。しかし、カバーで覆われた状態では、夜温の降下が充分でないことから、初期の効果を発揮するには、改良の余地がある。そして、また、この文献（１）では、ぶどう棚の上に、逆転層が存在することから、この夜温の降下には、限界があり、前述と同様に、改良の余地が考えられる。
【０００８】
また、文献（２）は、温風発生装置の温風吐出側に、細霧ノズルを配置した細霧発生装置を取付けた構造であり、単に、ハウスの細霧冷房を介して、室温を降下することであり、栽培作物の高温障害を回避することに留まっている。
【０００９】
上記に鑑み、本発明は、下記の効果を達成することを意図する。
１）  露地栽培の圃場では、昼温と、夜温の温度差は、色素の有意義な働きとなり、色付け（着色）に有効であること、そして、また、仮に、昼温の高い場合においても、色の発色が促進され、色付いた農作物が栽培できる。さらに、夏季における徒長化の防止を図り、農作物の品質、歩留まりの向上を図ること、また、樹木の矮化（低木化）の維持を図り、作業の容易化、機材の有効利用と、農作業の慣習化・健康維持を図ること、等を意図する。
２）  露地栽培の圃場では、昼夜の寒暖差と、空中の略６ｍ〜略８ｍ程度の高さ（通常、夜間に逆転層ができる高さ）の領域に細霧を、ファンを介して、吹き降ろし、この細霧冷房を図り、確実かつ簡易に達成し、また、農作物の糖度向上と、完熟の達成が図れる。
３）  細霧噴射（細霧冷房）を介して、昼温を降下（略３°〜略５°程度）し、かつファンを介して、圃場の風の流れを確保しつつ、この細霧冷房で、農作物の温度を下げて、病気に強く、糖分や酸等のミネラル豊富な果物に仕上げ得る。
４）  細霧噴射を介して、昼温を降下し、かつファンを介して、圃場の風の流れを確保でき、圃場の温湿度調整と、雨が多い時期には、べト病、裂果病等の病気の発生を回避できる。
５）  また、細霧を、空中の略６ｍ〜略８ｍの高さの領域に向かって、ファンを介して、上向きの放物線状（放物線状とする）に噴霧することで、圃場の全体を、かつ万遍なく冷却できる特徴と、この逆転層を確実、かつ略完全に破壊できる。また、夏場の圃場の空冷にも有効である。
６）  細霧を、空中の略６ｍ〜略８ｍの高さの領域に向かって、かつファンを介して、広域的に、上向きの放物線状に噴霧することで、圃場の全体を、かつ広範囲に冷却できる特徴と、また、晩夏から、早秋の農作物の栽培に最適な時期において、この圃場の空冷に有効に作用する。
７）  円筒状のケーシングに、ノズルを装置するに際し、環状の支持杆を複数状に設け、ここにノズルを、間隔を於いて設ける構造とし、細霧領域の重なりを失くし、かつ、水粒子の発生を回避し、例えば、細霧領域の減少化、べト病、裂果病等の発生回避等が図れる。
８）  また、環状に設けたノズルを、交互、又はランダム（間欠的）に、噴霧する構造を利用し、前記６）の効果を達成できる。
９）  さらに、支持杆単位で、ノズルから噴霧する構造とし、前記６）の効果を達成できる。
【課題を解決するための手段】
【００１０】
請求項１の発明は、前記１）  〜５）  を達成することを意図する。
【００１１】
請求項１は、圃場の柱、フレーム、構造物に設けた空中の所定高さ（例えば、空中の略６ｍ〜略８ｍ程度の高さで、矮化「栽培手段による低木化」、又は剪定による低木化の高さを示す）の領域に対して送風するファンと、このファンに細霧を送る噴霧手段とで構成した農作物の生育を制御する細霧冷却装置であって、
この空中の所定高さ（空中の略６ｍ〜略８ｍ程度の高さ）の領域に噴射した細霧冷房（細霧冷却）で、この圃場の雰囲気温度を降下し、この圃場で栽培する農作物を冷却することを特徴とした農作物の生育を制御する細霧冷却装置である。
【００１２】
請求項２・請求項３の発明は、前記１）  〜６）  を達成することを意図する。
【００１３】
請求項２は、請求項１に記載の農作物の生育を制御する細霧冷却装置であって、
前記ファンは、円筒状ケーシングに設けたモータ駆動式で、仰角等調整できるファン、又はモータ駆動式で、仰角等調整できるファンで、及びこのファンの吐出側に設けた噴霧部でなる細霧ファンとする農作物の生育を制御する細霧冷却装置である。
【００１４】
請求項３は、請求項１に記載の農作物の生育を制御する細霧冷却装置であって、
前記ファンは、円筒状ケーシングに設けたモータ駆動式で、仰角等調整できるファン、又はモータ駆動式で、仰角等調整できるファンで、また、この細霧手段は、このファンに向かって細霧を噴射する遠心細霧装置である農作物の生育を制御する細霧冷却装置である。
【００１５】
請求項４の発明は、請求項１の目的を達成すること、この目的を達成するに、最適な水の制御装置を提供することを意図する。
【００１６】
請求項４は、請求項１に記載の農作物の生育を制御する細霧冷却装置であって、
前記噴霧手段を、一本又は複数本の支持杆と、この支持杆に設けた複数個のノズルで構成し、この支持杆及び／又はノズルに、間欠的に、水を供給する制御装置を付設する農作物の生育を制御する細霧冷却装置である。
【００１７】
請求項５の発明は、請求項４の目的を達成すること、この目的を達成するに、最適な水の制御装置であって、水の節約と、細霧冷房の効果、並びに病気発生回避できる構造を提供することを意図する。
【００１８】
請求項５は、請求項４に記載の農作物の生育を制御する細霧冷却装置であって、
前記制御装置で、隣接するノズルが交互に噴霧するか、又は隣接するノズルの間を広くし、このノズルから噴霧される細霧領域が、重畳しない構造とする農作物の生育を制御する細霧冷却装置である。
【００１９】
請求項６の発明は、請求項５の目的を達成すること、この目的を達成するに、最適な水の制御装置であって、水の節約と、細霧冷房の効果、並びに大型粒子の発生をなくし、濡れ防止と、病気発生回避できる構造を提供することを意図する。
【００２０】
請求項６は、請求項５に記載の農作物の生育を制御する細霧冷却装置であって、
前記ノズルから噴霧される細霧領域の重畳は、空中において、地面と水平方向において、この細霧領域の一部が重ならない構造とする農作物の生育を制御する細霧冷却装置である。
【００２１】
請求項７〜９の発明は、前記７）  〜９）  を達成することを意図する。
【００２２】
請求項７は、圃場に一本、又は複数本立設した柱、フレーム、構造物の高所建物の上方に、仰角調整できる架台に設けた円筒状ケーシングと、この円筒状ケーシングに複数のノズル、及び回転羽根を備えた細霧ファンを設けた農作物の生育を制御する細霧冷却装置であって、
この細霧ファンの首振り装置は、この柱に設けた基板と、この基板と前記円筒状のケーシングを連結する支持手段と、前記基板に複数本の枢軸を介して、それぞれ設けた複数の支持板と、この複数の支持板を連結する連結板と、この連結板を地面方向の左右に可動するリンク機構と、このリンク機構を可動する可動板と、この可動板を支持するモータの出力軸に設けた円板でなる農作物の生育を制御する細霧冷却装置である。
【００２３】
請求項８は、圃場に一本、又は複数本立設した柱、フレーム、構造物の高所建物の上方に、仰角調整できる架台に設けた円筒状ケーシングと、この円筒状ケーシングに複数のノズル、及び回転羽根を備えた細霧ファンを設けた農作物の生育を制御する細霧冷却装置であって、
この細霧ファンの首振り装置は、この柱に設けた基板と、この基板と前記円筒状のケーシングを連結する支持手段と、前記基板に設けた首振り用のモータと、この首振り用のモータの出力軸に設けた回転板と、この回転軸にピンを介して設けた駆動側リンクと、この駆動側リンクにピンを介して連結するリンクアームと、このリンクアームにピンを介して連結する従動側リンクと、この従動側リンクに固止し、かつこの従動側リンクにより回転する回転軸と、この回転軸に設けた首振り用の架台で構成し、この架台に前記支持手段が設けられる農作物の生育を制御する細霧冷却装置である。
【００２４】
請求項９は、請求項７、請求項８に記載の農作物の生育を制御する細霧冷却装置であって、
このケーシングの吐出側端縁に設けた複数の環状支持杆は、環状に重畳して複数状設け、この複数状の支持杆に、前記複数のノズルを、均等間隔で設けるに際し、隣接する支持杆にそれぞれ設けた複数のノズルの開口方向が、空中において、地面と水平方向において、同じ位置にならない構造とする農作物の生育を制御する細霧冷却装置である。
【発明の効果】
【００２５】
請求項１の発明は、圃場の柱、フレーム、構造物に設けた空中の所定高さの領域に対して送風するファンと、ファンに細霧を送る噴霧手段とで構成した農作物の生育を制御する細霧冷却装置である。
【００２６】
従って、請求項１は、下記の１）  〜５）  の特徴がある。
１）  露地栽培の圃場では、昼温と、夜温の温度差は、色素の有意義な働きとなり、色付けに有効であること、そして、また、仮に、昼温の高い場合においても、色の発色が促進され、色付いた農作物が栽培できる。
２）  露地栽培の圃場では、昼夜の寒暖差と、空中の所定高さ（通常、夜間に逆転層ができる高さ）の領域に細霧を、ファンを介して、吹き降ろし、細霧冷房を図り、確実かつ簡易に達成し、また、農作物の糖度向上と、完熟の達成が図れる。
３）  細霧噴射（細霧冷房）を介して、昼温を降下（略３°〜略５°程度）し、かつファンを介して、圃場の風の流れを確保しつつ、この細霧冷房で、農作物の温度を下げて、病気に強く、糖分や酸等のミネラル豊富な果物に仕上げ得る。
４）  細霧噴射を介して、昼温を降下し、かつファンを介して、圃場の風の流れを確保でき、圃場の温湿度調整と、雨が多い時期には、べト病、裂果病等の病気の発生を回避できる。
５）  また、細霧を、空中の所定高さの領域に向かって、上向きの放物線状に噴霧することで、ファンを介して、圃場の全体を、かつ万遍なく冷却できる特徴と、この逆転層を確実、かつ略完全に破壊できる。また、夏場の圃場の空冷にも有効である。
【００２７】
請求項２の発明は、農作物の生育を制御する細霧冷却装置のファンは、円筒状ケーシングに設けたモータ駆動式で、仰角等調整できるファン、又はモータ駆動式で、仰角等調整できるファンで、及びファンの吐出側に設けた噴霧部でなる細霧ファンとする農作物の生育を制御する細霧冷却装置である。
【００２８】
請求項３の発明は、農作物の生育を制御する細霧冷却装置のファンは、円筒状ケーシングに設けたモータ駆動式で、仰角等調整できるファン、又はモータ駆動式で、仰角等調整できるファンで、また、細霧手段は、ファンに向かって細霧を噴射する遠心細霧装置である農作物の生育を制御する細霧冷却装置である。
【００２９】
従って、請求項２・請求項３は、下記の１）  〜６）  の特徴がある。
１）  〜５）  は請求項１に準ずる。
６）  細霧を、空中の所定高さの領域に向かって、かつファンを介して、広域的に、上向きの放物線状に噴霧することで、圃場の全体を、かつ広範囲に冷却できる特徴と、また、晩夏から、早秋の農作物の栽培に最適な時期において、この圃場の空冷に有効に作用する。
【００３０】
請求項４の発明は、農作物の生育を制御する細霧冷却装置の噴霧手段を、一本又は複数本の支持杆と、支持杆に設けた複数個のノズルで構成し、支持杆及び／又はノズルに、間欠的に、水を供給する制御装置を付設する農作物の生育を制御する細霧冷却装置である。
【００３１】
従って、請求項４は、請求項１の目的を達成できること、この目的を達成するに、最適な水の制御装置を提供できること等の特徴を有する。
【００３２】
請求項５の発明は、請求項４に記載の農作物の生育を制御する細霧冷却装置の制御装置で、隣接するノズルが交互に噴霧するか、又は隣接するノズルの間を広くし、ノズルから噴霧される細霧領域が、重畳しない構造とする農作物の生育を制御する細霧冷却装置である。
【００３３】
従って、請求項５は、請求項４の目的を達成できること、この目的を達成するに、最適な水の制御装置であって、水の節約と、細霧冷房の効果、並びに病気発生回避できる構造を提供できること、等の特徴を有する。
【００３４】
請求項６の発明は、農作物の生育を制御する細霧冷却装置のノズルから噴霧される細霧領域の重畳は、空中において、地面と水平方向において、同じ領域にならない構造とする農作物の生育を制御する細霧冷却装置である。
【００３５】
従って、請求項６は、請求項５の目的を達成できること、この目的を達成するに、最適な水の制御装置であって、水の節約と、細霧冷房の効果、並びに大型粒子の発生をなくし、濡れ防止と、病気発生回避できる構造を提供できること、等の特徴を有する。
【００３６】
請求項７の発明は、圃場に一本、又は複数本立設した柱、フレーム、構造物の高所建物の上方に、首振り装置を介して設けた円筒状ケーシングと、円筒状ケーシングに複数のノズル、及び回転羽根を備えた細霧ファンを設けた農作物の生育を制御する細霧冷却装置であって、
首振り装置は、柱に設けた基板と、基板と前記円筒状のケーシングを連結する支持手段と、基板に複数本の枢軸を介して、それぞれ設けた複数の支持板と、複数の支持板を連結する連結板と、連結板を地面方向の左右に可動するリンク機構と、リンク機構を可動する可動板と、可動板を支持するモータの出力軸に設けた円板でなる農作物の生育を制御する細霧冷却装置である。
【００３７】
請求項８の発明は、圃場に一本、又は複数本立設した柱、フレーム、構造物の高所建物の上方に、首振り装置を介して設けた円筒状ケーシングと、この円筒状ケーシングに複数のノズル、及び回転羽根を備えた細霧ファンを設けた農作物の生育を制御する細霧冷却装置であって、
首振り装置は、柱に設けた基板と、基板と前記円筒状のケーシングを連結する支持手段と、基板に設けた首振り用のモータと、首振り用のモータの出力軸に設けた回転板と、回転軸にピンを介して設けた駆動側リンクと、駆動側リンクにピンを介して連結するリンクアームと、リンクアームにピンを介して連結する従動側リンクと、従動側リンクに固止し、かつ従動側リンクにより回転する回転軸と、回転軸に設けた首振り用の架台で構成し、架台に支持手段が設けられる農作物の生育を制御する細霧冷却装置である。
【００３８】
請求項９の発明は、請求項７、請求項８に記載の農作物の生育を制御する細霧冷却装置であって、
ケーシングの吐出側端縁に設けた複数の環状支持杆は、環状に重畳して複数状設け、複数状の支持杆に、複数のノズルを、均等間隔で設けるに際し、隣接する支持杆にそれぞれ設けた複数のノズルの開口方向が、空中において、地面と水平方向において、同じ位置にならない構造とする農作物の生育を制御する細霧冷却装置である。
【００３９】
従って、請求項７〜請求項９は、下記の７）  〜９）  の特徴がある。
７）  円筒状のケーシングに、ノズルを装置するに際し、環状の支持杆を複数状に設け、ここにノズルを、間隔を於いて設ける構造とし、細霧領域の重なりを失くし、かつ、水粒子の発生を回避し、例えば、細霧領域の減少化、べト病、裂果病等の発生回避等が図れる。
８）  また、環状に設けたノズルを、交互、又はランダム（間欠的）に、噴霧する構造を利用し、前記６）の効果を達成できる。
９）  さらに、支持杆単位で、ノズルから噴霧する構造とし、前記６）の効果を達成できる。
【発明を実施するための最良の形態】
【００４０】
本発明の一例を説明する。
【００４１】
図面の説明をすると、図１〜図４−３は、第一実施例を示したものであり、図１は本発明と圃場の逆転層との関係を示した模式図、図２は細霧領域（噴霧された細霧の領域）を俯瞰した状態で、この細霧領域の重なりを示した模式図、図３−１は多頭式細霧ファンの第一実施例を示した正面図、図３−２は図３−１の平面図、図３−３は図３−１の側面図、図３−４は図３−１の駆動部の拡大側面図、図４−１は多頭式細霧ファンの別の第一実施例を示した正面図、図４−２は図４−１の平面図、図４−３は図４−１の側面図である。図５は、第二実施例を示した模式図である。図６は、第三実施例を示した模式図である。そして、図７−１〜図８−２は、前記第一実施例から第三実施例に共通な構成部材を示しており、図７−１は細霧ファンの突出側端縁に支持杆を介して複数のノズルを装置した一例を示す正面拡大図、図７−２は図７−１の斜視図、図８−１は支持杆とパイプ（ホース）、並びに給水部（ポンプ、タンク、電磁弁等）の関係の一例を示した模式図、図８−２は支持杆への給水と、ノズルの噴霧に関する制御の一例を示した図表である。
【００４２】
第一実施例を説明する。この第一実施例の図１に示したように、圃場Ｒに一本、又は複数本立設した柱１（フレーム、構造物の高所建物）の上方１ａに、空中の略６ｍ〜略８ｍの高さＡの領域に向かって（仰視して）設けた円筒形ケーシング２と、円筒形ケーシング２に設けた複数のノズル３、及び回転羽根４を備えた細霧ファン５を設ける。そして、この細霧ファン５の回転羽根４の回転と、複数のノズル３の噴霧で、圃場Ｒの空中の略６ｍ〜略８ｍの高さＡの領域（細霧領域Ｂ）に向かって（上方に向かって、放物線状に）噴霧（噴射）し、この逆転層Ｄの領域、又は逆転層Ｄの上方の領域に到った細霧（細霧冷房用の細霧）を、それぞれの領域で活用、また、望ましくは拡散するか、又はその後、逆転層Ｄの領域、又は逆転層Ｄの上方の領域より、地上に吹き降ろす等の操作をする。この活用・拡散、又は吹き降ろし、及び細霧冷房Ｃ（細霧冷却）を介して、圃場Ｒの雰囲気温度を降下し（このそれぞれの領域での拡散、又は吹き降ろしを、間欠及び／又は順次繰り返し等の制御し、冷気の拡散、降り注ぐ状況を、人工的に生成して温度降下し）、例えば、この圃場Ｒで栽培する農作物Ｗ（果物）、及び／又は、圃場Ｒの雰囲気温度を冷却、及び／又は、その温度降下で、農作物Ｗの熟成を促進しつつ、農作物Ｗとして、極めて、大切な色付けの促進が図れる特徴がある。
【００４３】
そして、本発明における最も基本的なことは、空中の略６ｍ〜略８ｍの高さＡの領域（細霧領域Ｂ）に向かって（上方に向かって、放物線状に）細霧（細霧噴射）することで、昼温の降下（略３°〜略５°程度降下）し、かつ圃場Ｒの風の流れを確保する。また、この空中の略６ｍ〜略８ｍの高さＡの領域に向かって細霧、及び／又は、吹き降ろし細霧において、図２に示した、細霧領域の重なりＢ−１を失くし、かつ、なるべく微細粒子の発生に寄与し、そして、水粒子の発生を回避するである。これにより、［イ］  農作物Ｗの温度を下げて、色付けと、完熟の達成し、また、病気に強く、糖分や酸等のミネラル豊富な果物（農作物Ｗ）に仕上げ得る。［ロ］  この細霧冷房Ｃを介して、圃場Ｒ及び／又は空中の略６ｍ〜略８ｍの高さＡの風の流れを確保でき、圃場Ｒの温湿度調整と、雨が多い時期には、農作物Ｗのべト病、裂果病等の発生回避ができる。また、葉面、枝、又は樹全体に生育する幼齢虫、幼虫、成虫等の害虫の剥離（食害）に役立つと考えられる。［ハ］  そして、また、昼温の降下を、空中の略６ｍ〜略８ｍの高さＡの領域での細霧冷房を介して、病害虫の予防と、食害の回避、並びに農薬の減少化等に役立つことが考えられる。［ニ］  農作物Ｗは、強い日光や直射に対しても、屁たることなく順調な生育が確保できる。さらに、この農作物Ｗによっては、高温による軟腐病による病気にも有効に対処できると考えられる。尚、前記上方に向かって、放物線状に噴霧する角度は、気候、農作物Ｗの高さ及び／又は耕作密度、或いは地形等の栽培状況と、作業者の要望、技術等によって変更できる。そして、「細霧領域の重なりＢ−１を失くし、かつ、水粒子の発生を回避（細霧の粒子化回避）する」ことが、本発明の最大の特徴であるが、この目的は、後述する各構造の総合的な組合せで達成される。
【００４４】
尚、前記空中の略６ｍ〜略８ｍの高さＡの領域に向かって（上方に向かって、放物線状に）噴霧することは、夜温の降下が鈍い場合において、昼夜の温度差を確保することができる。この結果、色素の有意義な働きとなり、また、色の発色が促進され、色付いた農作物Ｗ（主として、果物類）が栽培できる。また、この夜温の降下は、早朝まで連続して、細霧冷房Ｃを介して行なうこともあり得る。そして、この夜温の降下は、細霧冷房Ｃを介して、逆転層Ｄを崩壊し、圃場Ｒの風の流れを確保しつつ、この細霧冷房Ｃで、夜温の降下を効率的に達成できる（逆転層Ｄを崩壊して、上方の冷気を地上に向かって流す）ことで、例えば、圃場Ｒの農作物Ｗの熟成と、色付けを図り、また、病気に強く、糖分や酸等のミネラル豊富な農作物Ｗに仕上げ得ることと、逆転層Ｄを崩壊し、圃場Ｒの風の流れを確保でき、圃場Ｒの温湿度調整と、雨が多い時期には、べト病、裂果病等の発生回避ができること等が考えられる。また、主として、冬季においては、逆転層Ｄ内部では、大気汚染物質が拡散しにくく、無風状態であると、特に局地的な大気汚染を引き起こすとされるが、このような大気汚染を解消することも可能である。また、後述するように、この逆転層Ｄの上方（図１に想像線で示す）に向かって行ない、この逆転層Ｄの上方において、細霧冷房Ｃを図るか、又は冷気を地上に向かって、強制的に流すか、或いは逆転層Ｄの上方の冷気の自然な流れ等を図ることで、効率的に細霧冷房Ｃを利用することも可能である。その他は、前述の逆転層Ｄの例に準ずる。
【００４５】
また、図３−１〜図４−３に示した複数基の細霧ファン５でなる多頭式細霧ファン５００の例であり、この一例では、一基を固定方式、他の複数基を首振り方式とした構造である。例えば、固定方式を、細霧ファン５の中心とし、この固定方式を、細霧ファン５の両側、例えば、地面方向の左右、又は天地方向の上下とし、首振り方式を、細霧ファン５を配備する構造とし、固定方式の細霧ファン５を介して、圃場Ｒの中心領域に、常時かつ一定方向に、空中の略６ｍ〜略８ｍの高さＡの領域の細霧を、地上に対して、吹き降ろし、この吹き降ろしと細霧冷房Ｃを図るとともに、首振り方式の細霧ファン５を介して、圃場Ｒの左右、又は上下領域に、常時かつ広角方向に、空中の略６ｍ〜略８ｍの高さＡの領域の細霧を、地上に対して、吹き降ろし、この吹き降ろしと細霧冷房Ｃを図り、圃場Ｒの農作物Ｗの熟成と、色付けを促進する構成である。また、主として、夏季における細霧冷房Ｃを介して、樹木及び／又は枝・葉等の徒長化の防止を図り、農作物Ｗの品質、歩留まりの向上を図ること、また、樹木の矮化（低木化）の維持を図り、作業の容易化、農具、その機材の有効利用と、農作業の慣習化・健康維持を図ること等の実益がある。
【００４６】
図８−１と、図８−２は、ケーシング２の吐出側２ｂ端縁に設けた支持杆７への給水と、ノズル３の噴霧に関する制御の一例を示した図表であるが、少なくとも、この図表に示した多様な細霧噴射が可能となり、略全ての圃場Ｒの農作物Ｗに対応でき、かつ前述した各特徴を享受できる。そして、支持杆７及び／又はノズル３への給水は、各弁８の制御を介して行い。その制御は、自動及び／又は手動のいずれも可能である。図中９はフロート弁付きタンク、１０はポンプ、電磁弁等を備えた配管を示す。
【００４７】
次に、この細霧ファン５の好ましい、一例を説明する。細霧ファン５は、柱１の上方１ａに支持した吐出側２ｂを絞込んだ筒状のケーシング２と、ケーシング２の吸込側２ａに、支持手段を介して間隔を置いて設けたファン５００、及びファン用のモータ５０１と、また、ケーシング２の吐出側２ｂに設けた整流板５０２と、さらに、図７−１と図７−２に一例を示した、ケーシング２の吐出側２ｂ端縁に設けた複数の環状支持杆７と、支持杆７に適宜間隔で設けた各ノズル３と、支持杆７に水を供給するパイプ５０３と、パイプ５０３、又はノズル３に水を供給する噴霧・制御機構で構成する。尚、このケーシング２の長手方向には、ストレートな隙間があり、吸込んだ外気を、吸込側２ａから吐出側２ｂに送り、整流板５０２を介して整流しつつ、絞込みを利用して、地上面に水平方向に向って、かつ膨出形状の細霧（風）となり、遠方に送風する構造である。尚、ファン５００は、仰角調整できる構造であり、細霧が放物線を描いて、空中に噴霧できる構造である（以下、同じ）。また、ファン５００は、場合により、水平又は俯角調整し、細霧を、水平又は下向き方向の空中に噴霧する構造もできる（以下、同じ）。
【００４８】
また、細霧ファン５は、柱１の上方１ａに設けられが、この例では、平面視して、扁平Ｖ形の基板２０と、この基板２０に支持板２１を介して設けた固定方式の細霧ファン５と、リンク機構Ｅに設けた首振り方式の細霧ファン５で構成する。そして、この首振り方式の細霧ファン５（リンク機構Ｅを備えたの細霧ファン５）に関して、以下に詳述する。
【００４９】
先ず、首振り方式は、図３−１〜図３−３に示した構成では、基板２０と、この基板２０に設けた一基、又は数基の筒状のケーシング２を支持する一枚、又は数枚の支持板２２の基端と、この基板２０と支持板２２を枢支する枢軸２３と、この支持板２２間に差渡した連結板２４と、この支持板２２と連結板２４を枢支する枢軸２５と、この連結板２４に固止して設けた、この連結板２４を地面方向の左右に可動する可動板２６と、この可動板２６に枢軸を介して設けられ、かつこの可動板２６を往復動する円板２７と、この円板２７を支持する（基板２０に設けた）モータ２８の出力軸２８ａで構成される。従って、首振り方法は、モータ２８、出力軸２８ａの回転→円板３０の回転→可動板２６の往復動（図３−３の矢印方向に）→連結板２４の左右動（図３−４において側面視して、矢印方向に）→支持板２２が枢軸２３を基点に、左右方向に動き（図３−２において平面視して、矢印方向に）→細霧ファン５が首振りする。
【００５０】
また、図４−１〜図４−３に示した構成では、基板３に設けたケース３０に内蔵した首振り用のモータ３１と、この首振り用のモータ３１に設けた駆動側リンク３２と、この駆動側リンク３２に連結するリンクアーム３３と、このリンクアーム３３に連結する従動側リンク３４と、この従動側リンク３４で回転する回転軸３５と、この回転軸３５に設けた首振り用で、かつ仰角等調整できる架台３６（以下、同じ）で構成されている。従って、首振り方法は、モータ３１の回転→駆動側リンク３２の回転→リンクアーム３３の往復動（図４−１の矢印方向に）→従動側リンク３４の左右方向に動き（図４−２において平面視して、矢印方向に）→架台３６が、左右方向に動く（図４−２において平面視して、矢印方向に）→細霧ファン５が首振りする。
【００５１】
そして、図示しないが、全ての細霧ファン５が固定方式、首振り方式の例と、何れかの一基が固定方式、首振り方式の例等の如く、多様な制御が図れることと、前述したノズル３の各例の噴霧との組合せ構造も可能である。そして、この組合せは、各種の気候、農作物Ｗの高さ及び／又は耕作密度、或いは地形等の栽培状況と、作業者の要望、技術等によって変更できる。
【００５２】
尚、夜間において、空中の略６ｍ〜略８ｍの高さＡの領域（逆転層Ｄ）に向かって（上方に向かって、放物線状に）噴霧することで、例えば、空中の略６ｍ〜略８ｍの高さＡの気温が、地温と比べて、等温であった場合の如く、圃場Ｒの夜温が降下しない状況では、昼夜の温度差がない。このような場合は、通常は、早朝まで連続及び／又は前記の各制御で、噴霧（細霧冷房Ｃ）を行なって、夜温の降下を確保する。この細霧冷房Ｃにより、昼夜の温度差が生成され、圃場Ｒの農作物Ｗの熟成と、色付けを促進できること、又は病気に強く、糖分や酸等のミネラル豊富な農作物Ｗに仕上げ得ること、また、圃場Ｒの風の流れを確保でき、圃場Ｒの温湿度調整と、雨が多い時期には、べト病、裂果病等の病気の発生を回避できること等の特徴が考えられる。また、細霧噴射を、逆転層Ｄに向かって行なうか、又はこの逆転層Ｄの上方に向かって行うことで、例えば、この逆転層Ｄ、又はこの逆転層Ｄの上方において、拡散して細霧冷房Ｃを図るか、又は冷気を地上に向かって、強制的に流すか、或いは逆転層Ｄの上方の冷気の自然な流れ等を利用した、効率的に細霧冷房Ｃを図る。また、圃場Ｒの風の流れを確保しつつ、圃場Ｒの農作物Ｗの熟成と、色付けが促進できること、又は、前述の如く、樹木の矮化（低木化）の維持を図り、作業の容易化、農具、その機材の有効利用と、農作業の慣習化・健康維持が図れること、等の特徴がある。
【００５３】
次に、第二実施例を説明する。この第二実施例の図５に示したように、圃場Ｒの柱１の上方１ａに、仰視して設けたファン５００と、このファン５００を駆動するモータ５０１等を備えた細霧ファン５であり、この細霧ファン５の複数のノズル３より細霧噴射する構造であり、その他は、前述の第一実施例に準ずる。
【００５４】
さらに、第三実施例を説明する。この第三実施例の図５、図６に示したように、圃場Ｒの柱１の上方１ａに、架台３６（長孔３６０と、止め具３６１の操作で仰角、俯角等調整する。他の実施例も同じ）を介して設けたファン５００と、このファン５００を駆動するモータ５０１等を備えた送風用のファン５ｂと、望ましくは、柱１の近傍の地面Ｒ１、又はフレーム４０（移動式を含む）に設けた遠心噴霧装置４１で構成した細霧冷却装置である。そして、この例では、遠心噴霧装置４１にファン４２と、このファン４２を駆動するモータ４３と、図示しない整流板、複数のノズル３で構成した、細霧噴射構造である。そして、この例では、遠心噴霧装置４１より噴射された細霧を、ファン５００を介して、逆転層Ｄに向かって行なう方法と、又はこの逆転層Ｄの上方に向かって行なう方法、及び／又は、この領域での拡散等する方法とが考えられる。そして、この例では、ファン５００の送風調製と、遠心噴霧装置４１の噴霧の量・ノズル３の調整、及び／又は、噴射速度の調整を、それぞれ制御することで、より多様な細霧冷房Ｃを利用できる。その他は、前述の第一・第二実施例に準ずる。尚、遠心噴霧装置４１のノズル３の構造・制御は、細霧ファン５のノズル３の構造に準ずる。また、遠心噴霧装置４１は移動式とすることで、より多様化・多目的化と、各特徴の拡充と、利便性等が図れる実益がある。
【図面の簡単な説明】
【００５５】
【図１】図１は本発明と圃場の逆転層との関係を示した模式図
【図２】図２は細霧領域（噴霧された細霧の領域）を俯瞰した状態で、この細霧領域の重なりを示した模式図
【図３−１】図３−１は多頭式細霧ファンの第一の例を示した正面図
【図３−２】図３−２は図３−１の平面図
【図３−３】図３−３は図３−１の側面図
【図３−４】図３−４は図３−１の駆動部の拡大側面図
【図４−１】図４−１は多頭式細霧ファンの別の第一実施例を示した正面図
【図４−２】図４−２は図４−１の平面図
【図４−３】図４−３は図４−１の側面図
【図５】図５は、第二実施例を示した模式図
【図６】図６は、第三実施例を示した模式図
【図７−１】図７−１は細霧ファンの突出側端縁に支持杆を介して複数のノズルを装置した一例を示す正面拡大図
【図７−２】図７−２は図７−１の斜視図
【図８−１】図８−１は支持杆とパイプ（ホース）、並びに給水部（ポンプ、タンク、電磁弁等）の関係の一例を示した模式図
【図８−２】図８−２は支持杆への給水と、ノズルの噴霧に関する制御の一例を示した図表
【符号の説明】
【００５６】
１            柱
１ａ          上方
２            ケーシング
２ａ          吸込側
２ｂ          吐出側
３            ノズル
４            回転羽根
５            細霧ファン
５ａ          多頭式細霧ファン
５ｂ          送風用のファン
５００        ファン
５０１        モータ
５０２        整流板
７            支持杆
８            弁
９            フロート弁付きタンク
１０          配管
２０          基板
２１          支持板
２２          支持板
２３          枢軸
２４          連結板
２５          枢軸
２６          可動板
２７          円板
２８          モータ
２８ａ        出力軸
３０          ケース
３１          モータ
３２          駆動側リンク
３３          リンクアーム
３４          従動側リンク
３５          回転軸
３６          架台
３６０        長孔
３６１        止め具
４０          フレーム
４１          遠心噴霧装置
４２          ファン
４３          モータ
Ａ            空中の略略６ｍ〜略８ｍの高さ
Ｂ            細霧領域
Ｂ−１        細霧領域の重なり
Ｃ            細霧冷房
Ｄ            逆転層
Ｒ            圃場
Ｒ１          地面
Ｗ            農作物
【図１】
2010068740.tif 000003
【図２】
2010068740.tif 000004
【図３−１】
2010068740.tif 000005
【図３−２】
2010068740.tif 000006
【図３−３】
2010068740.tif 000007
【図３−４】
2010068740.tif 000008
【図４−１】
2010068740.tif 000009
【図４−２】
2010068740.tif 000010
【図４−３】
2010068740.tif 000011
【図５】
2010068740.tif 000012
【図６】
2010068740.tif 000013
【図７−１】
2010068740.tif 000014
【図７−２】
2010068740.tif 000015
【図８−１】
2010068740.tif 000016
【図８−２】
2010068740.tif 000017